(57)【要約】【課題】通常使用時の防犯性能を確保しながら、シャッターの防火性能を向上させることができるシャッター枠部の防火構造を提供する。【解決手段】開口部１３を昇降して下降先端に座板を有するシャッターカーテンと、シャッターカーテンの側部を挿入して昇降を案内する一対のガイドレールのそれぞれを支持するとともに、ガイドレールに沿って延在する一対のアルミ製の外枠２３と、一対の外枠２３のそれぞれの下端に渡る長尺で形成され後縁部４９が外壁に支持されるアルミ製の下枠２５と、外枠２３の下端における外側板部５３の内側に固定される連結固定部材２７と、下枠２５の長手方向両側の端の下面に固定される樹脂製のキャップ２９と、連結固定部材２７に上側から挿通されて下枠２５を貫通し、キャップ２９に螺合し固着することで外枠２３の下端と下枠２５の端とを連結する固定ビス３１と、を設けた。【選択図】  図２
2020020202.tif 000002
【特許請求の範囲】
【請求項１】
外壁に開口する開口部を前記外壁の外側で昇降して覆い下降先端に座板を有するシャッターカーテンと、
前記シャッターカーテンの側部を挿入して昇降を案内する一対のガイドレールのそれぞれを支持するとともに、前記ガイドレールに沿って延在し、前記外壁に垂直な外側板部とこの外側板部から前記外壁と平行に折れ曲がる取付板部とを有する一対のアルミ製の外枠と、
一対の前記外枠のそれぞれの下端に渡る長尺で形成され長手方向の平行な一対の縁部のうちの外壁側の後縁部が前記外壁に支持されるアルミ製の下枠と、
前記外枠の下端における前記外側板部の内側に固定される連結固定部材と、
前記下枠の長手方向両側の端の下面に固定される樹脂製のキャップと、  
前記連結固定部材に上側から挿通されて前記下枠を貫通し、前記キャップに固着することで前記外枠の下端と前記下枠の端とを連結する固定手段と、
を具備することを特徴とするシャッター枠部の防火構造。
【請求項２】
請求項１記載のシャッター枠部の防火構造であって、
前記連結固定部材が、前記取付板部に対して反対側となる前記外側板部の突出端に設けられることを特徴とするシャッター枠部の防火構造。
【請求項３】
請求項１または２に記載のシャッター枠部の防火構造であって、
前記連結固定部材と前記下枠との間に設けられ、前記ガイドレール及び前記外枠の下端を塞ぎ前記座板の延在方向の端が接する底板部を有し、この底板部から前記外側板部と平行に折り曲げられて起立した側片部が前記外側板部に連結固定される一対のスチール製の補強部材を備え、
前記固定手段が、前記底板部及び前記下枠を貫通して前記キャップに固着することを特徴とするシャッター枠部の防火構造。
【発明の詳細な説明】
【技術分野】
【０００１】
本発明は、シャッター枠部の防火構造に関する。
【背景技術】
【０００２】
窓用シャッターは、建物躯体に開口する窓を覆って外壁に取り付けられる。窓用シャッターでは、防錆性や意匠性等を考慮して、アルミやアルミ合金を素材とする部品や、樹脂を素材とする部品が多用されている。例えば特許文献１に開示の窓用シャッターは、窓の上方にシャッター本体が取り付けられ、そのシャッター本体の両側から窓を挟むようにして外枠が左右に取り付けられる。それぞれの外枠の内側にはガイドレールが固定される。シャッター本体からは、シャッターカーテンがガイドレールに沿って引き出される。窓用シャッターは、左右の外枠下端部が窓の下方で水平に配置される下枠によって接続される。下枠は、水平方向の所定間隔が建物躯体に固定されるとともに、水平方向の両端が左右の外枠の下端に連結固定される。外枠と下枠は、シャッター枠部の構成部材となる。
【先行技術文献】
【特許文献】
【０００３】
【特許文献１】特開２０１４−３１６３５号公報
【発明の概要】
【発明が解決しようとする課題】
【０００４】
しかしながら、シャッター枠部は、火炎を受けると、その熱によって各部材が膨張する。左右の外枠の下端に、下枠の両側の端が締結され固定されている場合、下枠が膨張して長手方向の延長方向に伸びると、外枠を外側方向に開くように付勢する。シャッターカーテンは、外枠が外側に開くと、側部のガイド支持部分がなくなることになり、スラットが抜け出す虞が生じる。一方、シャッター枠部は、下枠と外枠が締結されていないと、通常使用時にこじ開け対策などの防犯面で不利となる。
【０００５】
本発明は上記状況に鑑みてなされたもので、その目的は、通常使用時の防犯性能を確保しながら、シャッターの防火性能を向上させることができるシャッター枠部の防火構造を提供することにある。
【課題を解決するための手段】
【０００６】
次に、上記の課題を解決するための手段を、実施の形態に対応する図面を参照して説明する。
本発明の請求項１記載のシャッター枠部の防火構造は、外壁１５に開口する開口部１３を前記外壁１５の外側で昇降して覆い、下降先端に座板３５を有するシャッターカーテン２１と、
前記シャッターカーテン２１の側部３７を挿入して昇降を案内する一対のガイドレール３９のそれぞれを支持するとともに、前記ガイドレール３９に沿って延在し、前記外壁１５に垂直な外側板部５３と該外側板部５３から前記外壁１５と平行に折れ曲がる取付板部５５とを有する一対のアルミ製の外枠２３と、
一対の前記外枠２３のそれぞれの下端に渡る長尺で形成され、長手方向の平行な一対の縁部のうちの外壁側の後縁部４９が前記外壁１５に支持されるアルミ製の下枠２５と、
前記外枠２３の下端における前記外側板部５３の内側に固定される連結固定部材２７と、
前記下枠２５の長手方向両側の端の下面に固定される樹脂製のキャップ２９と、
前記連結固定部材２７に上側から挿通されて前記下枠２５を貫通し、前記キャップ２９に固着することで前記外枠２３の下端と前記下枠２５の端とを連結する固定手段３１と、
を具備することを特徴とする。
【０００７】
このシャッター枠部の防火構造では、下枠２５の長手方向両側の端の下面に、樹脂製のキャップ２９が固定される。それぞれがガイドレール３９を支持する一対の外枠２３における外側板部５３の内側には、連結固定部材２７が固定される。連結固定部材２７には、上側から固定ビスなどの固定手段３１が挿通される。連結固定部材２７に挿通された固定ビス３１は、下枠２５を貫通し、下枠２５を挟んで連結固定部材２７と反対側に配置されるキャップ２９に螺合して固着する。つまり、下枠２５の端は、連結固定部材２７とキャップ２９とに挟まれて固定ビス３１により締結される。これにより、下枠２５の端は、外枠２３に確実に固定されて容易にこじ開けできなくなっている。
シャッター枠部４１は、火災時に火炎にさらされると、下枠２５が膨張する。下枠２５は、スチール部材に比べ線膨張係数の大きいアルミ部材からなるため、長手方向両側の端が、延長線上で外側へ変位する。下枠２５の両側の端は、固定ビス３１により両側の外枠２３の下端と連結固定されている。従って、一対の外枠２３は、下枠２５が延びれば、下端同士が離間する方向に開こうとする。このとき、アルミ部材に比べ溶融温度が十分に低い樹脂製のキャップ２９は、固定ビス３１との螺合部分が軟化、溶融して、固定ビス３１との螺合が解除される。固定ビス３１による支持を失った下枠２５は、自身の荷重により、キャップ２９とともに下降して固定ビス３１から離脱する。固定ビス３１から離脱した下枠２５の端は、自由端となり、延長線上の外側への延び（変位）が可能となる。一対の外枠２３は、下枠２５の端との連結が解除されることで、下枠２５が膨張しても外側に開くことがなくなる。その結果、スラット３３の抜け出しが発生しなくなる。
【０００８】
本発明の請求項２記載のシャッター枠部の防火構造は、請求項１記載のシャッター枠部の防火構造であって、
前記連結固定部材２７が、前記取付板部５５に対して反対側となる前記外側板部５３の突出端に設けられることを特徴とする。
【０００９】
このシャッター枠部の防火構造では、下枠２５の長手方向両側の端を支持する連結固定部材２７が、外側板部５３の突出端に設けられる。すなわち、下枠２５は、外壁１５側と反対側の他方の縁部である前縁部９７が連結固定部材２７により支持されている。下枠２５は、火炎によりキャップ２９が軟化、溶融して固定手段としての固定ビス３１との螺合が解除されると、前縁部９７が連結固定部材２７に支持されなくなる。このため、下枠２５は、後縁部４９のみが外壁１５に支持されたままとなる。下枠２５は、長手方向に直交する幅方向の後縁部４９のみが支持された状態となることで、後縁部４９を支点に前縁部９７が下がる。これにより、下枠２５は、固定ビス３１から離脱しやすくなる。
【００１０】
本発明の請求項３記載のシャッター枠部の防火構造は、請求項１または２に記載のシャッター枠部の防火構造であって、
前記連結固定部材２７と前記下枠２５との間に設けられ、前記ガイドレール３９及び前記外枠２３の下端を塞ぎ前記座板３５の延在方向の端が接する底板部を有し、該底板部から前記外側板部５３と平行に折り曲げられて起立した側片部が前記外側板部５３に連結固定される一対のスチール製の補強部材を備え、
前記固定手段３１が、前記底板部及び前記下枠２５を貫通して前記キャップ２９に固着することを特徴とする。
【００１１】
このシャッター枠部の防火構造では、固定ビスなどの固定手段３１が、補強部材の底板部と、下枠２５を貫通してキャップ２９に螺合し固着する。下枠２５は、上記と同様に、火炎によりキャップ２９が変形、溶融したときは、自身の荷重により、キャップ２９とともに下降して固定ビス３１から離脱する。この際、下枠２５は、後縁部４９のみが外壁１５に支持され、前縁部９７の支持が消失する。つまり、下枠２５は、前方に下り傾斜した不完全な支持状態となる。一方、それぞれの外枠２３及びガイドレール３９の下端は、外枠２３に固定された補強部材の底板部により塞がれた状態となっている。この補強部材の底板部には、座板３５の延在方向の端が接する。従って、補強部材は、下枠２５が不完全な支持状態となった場合においても、座板３５の延在方向の両端を底板部に載置して、シャッターカーテン２１の荷重を支持することができる。
【発明の効果】
【００１２】
本発明に係る請求項１記載のシャッター枠部の防火構造によれば、外枠と下枠とを固定ビスにて締結固定して通常使用時の防犯性能を確保しながら、火災時にはキャップが溶融軟化して固定手段との締結を解くこととなり、外枠と下枠との固定状態を解除することとなって、下枠の端が自由端となり、下枠が熱により膨張することとなっても外枠と外側に開くことがなくなり、スラットの抜け出しを防ぎ、これにより、シャッターの防火性能を向上させることができる。
【００１３】
本発明に係る請求項２記載のシャッター枠部の防火構造によれば、火炎によるキャップの溶融時に、固定手段からキャップを容易に固定解除できる。
【００１４】
本発明に係る請求項３記載のシャッター枠部の防火構造によれば、火炎によるアルミ部材の軟化時に、ガイドレールからの座板の脱落を抑制できる。
【図面の簡単な説明】
【００１５】
【図１】本発明の実施の形態に係るシャッター枠部の防火構造を備えたシャッター装置の外観を表す斜視図である。
【図２】図１に示した一方の外枠と下枠との固定部分の分解斜視図である。
【図３】図２に示した外枠の下端の一部分を切り欠いた正面図である。
【図４】図２に示した外枠の下端の平断面図である。
【図５】固定ビスに対して固定が解除されるキャップの動作説明図である。
【発明を実施するための形態】
【００１６】
以下、本発明に係る実施形態を図面を参照して説明する。
図１は本発明の実施の形態に係るシャッター枠部の防火構造を備えたシャッター装置１１の外観を表す斜視図である。
本実施の形態に係るシャッター枠部の防火構造は、例えば住宅の開口部１３を覆うシャッター装置１１に好適に用いることができる。住宅の外壁１５には、開口部１３が設けられる。この開口部１３には、サッシ窓１７が取り付けられる。サッシ窓１７の取り付けられた開口部１３の上方には、シャッター装置１１の収納部１９が取り付けられる。
【００１７】
収納部１９は、巻取装置（図示略）を収納している。巻取装置は、巻胴を有する。巻胴には、シャッターカーテン２１の繰出方向後端である吊元が固定される。収納部１９には、巻胴を巻き取り方向に付勢するばね（図示略）が設けられている。シャッターカーテン２１は、開口部１３を閉鎖した状態で吊り持ち支持される重量の一部分が、このばねにより軽減される。
【００１８】
本実施形態に係るシャッター枠部の防火構造は、シャッターカーテン２１と、アルミ製の外枠２３と、アルミ製の下枠２５と、連結固定部材２７と、樹脂製のキャップ２９と、固定手段としての固定ビス３１と、を主要な構成として有する。
【００１９】
シャッターカーテン２１は、外壁１５に開口する開口部１３を外壁１５の外側で昇降して覆う。つまり、シャッターカーテン２１は、サッシ窓１７を外壁１５の外側から覆う。シャッターカーテン２１は、アルミ製やスチール製のスラット３３を複数連結して構成される。
【００２０】
シャッターカーテン２１は、複数のスラット３３が、隣接する長手方向に沿う両端縁同士を係合することにより、巻回可能な面状に連結構成される。シャッターカーテン２１は、繰り出し方向の先端に、座板３５（幅木とも称す。）が取り付けられる。座板３５は、シャッターカーテン２１が下降した際、下枠２５に着座する。この座板３５の近傍には、巻き上げられたシャッターカーテン２１の収納部１９への引き込みを規制するためのストッパー（図示略）が設けられてもよい。
【００２１】
図２は図１に示した一方の外枠２３と下枠２５との固定部分の分解斜視図である。
外枠２３は、シャッターカーテン２１の側部３７（図４参照）を挿入して昇降を案内するガイドレール３９（図４参照）を支持する。
【００２２】
外枠２３は、一対のガイドレール３９のそれぞれに沿って、一対が上下に延在する。垂下した一対の外枠２３の下端は、アルミ製の下枠２５によって連結される。
【００２３】
外枠２３と下枠２５は、シャッター枠部４１の構成部材となる。
【００２４】
下枠２５は、左右一対の外枠同士の下端に渡って横方向に設けられる。下枠２５の前側には、起立前板４３が全長に渡って起立して形成される。下枠２５は、起立前板４３と反対側の後縁に、長手方向に延在する水切傾斜片４５が一体成形される。下枠２５は、水切傾斜片４５の外壁側に、起立後板４７が全長に渡って起立して形成される。下枠２５は、この起立後板４７が外壁１５に、所定間隔でビスなどで固定される。従って、下枠２５は、一対の外枠２３のそれぞれの下端に渡る長尺で形成され、長手方向の平行な一対の縁部のうちの外壁側の後縁部４９が外壁１５に支持される。
【００２５】
図３は図２に示した外枠２３の下端の一部分を切り欠いた正面図である。
外枠２３は、外壁１５から外側へ突出して固定される。外枠２３は、この突出側でガイドレール３９（図４参照）を保持する。つまり、ガイドレール３９は、外壁１５から離間して保持されている。ガイドレール３９と外壁１５との間には、間隙５１が形成される。下枠２５は、延在方向に直交する幅長（図４の上下方向の長さ）が、外枠２３の突出長と略一致する。下枠２５は、シャッターカーテン２１と外壁１５との間に形成される上記の間隙５１の下端を塞ぐ。
【００２６】
図４は図２に示した外枠２３の下端の平断面図である。
外枠２３は、外壁１５に垂直な外側板部５３を有する。外側板部５３は、外枠２３の全高に渡って形成される。外枠２３は、この外側板部５３から外壁１５と平行に折れ曲がる取付板部５５を有する。外枠２３は、取付板部５５を挟み外側板部５３と反対側に、取付板部５５と平行な段板部５７が形成される。取付板部５５と段板部５７との間は、外側板部５３と平行な内側板部５９により接続される。段板部５７には、内側板部５９の反対側に、内側板部５９と平行な固定座部６１が折り曲げ形成される。
【００２７】
それぞれのガイドレール３９は、シャッターカーテン２１の側部３７をスリット６３に挿入して昇降を案内する平断面視略コ字形状に形成される。スリット６３の内側には、対向する内壁から突出して係止間隙６５を形成する抜け止め片６７が設けられる。この抜け止め片６７の係止間隙６５には、シャッターカーテン２１の側部３７の端に固定された平面視Ｔ字形状の抜け止め部材６９の首部７１が係合する。これにより、シャッターカーテン２１は、スリット６３からの側部３７の抜けが規制されながら、昇降自在となる。
【００２８】
より具体的には、ガイドレール３９は、スリット開口側から外壁１５へ向かって垂直に突出する内固定片７３と、スリット開口側と反対側の背側から外壁１５と平行に突出する外係合片７５と、により平断面視略ｈ字形状に形成される。
【００２９】
ガイドレール３９の内固定片７３は、連結ビス７７が貫通可能となる。内固定片７３には、段板部５７から曲げられた固定座部６１が連結ビス７７により固定される。また、ガイドレール３９の外係合片７５は、突出先端に係合溝７９を有する。この係合溝７９には、外枠２３の外側板部５３に形成された係合爪部８１が係合する。
【００３０】
外枠２３は、取付板部５５を挟んで平行な外側板部５３と内側板部５９とが、外壁１５から垂直に突出し、双方の間に空間部８３が形成される。この空間部８３は、係合爪部８１と、固定座部６１とにガイドレール３９が取り付けられることにより閉塞される。
【００３１】
従って、シャッターカーテン２１の両側の側部３７を案内する一対のガイドレール３９は、それぞれがアルミ製の外枠２３を介して外壁１５に固定される。外枠２３は、アルミ製とすることにより、シャッター用ガイドレールの意匠性や防錆性を高め、軽量化を可能としている。
【００３２】
シャッターカーテン２１は、両側の側部３７がガイドレール３９により案内されて、下降することで、開口部１３を覆う。これにより、シャッターカーテン２１は、建物の開口部１３に設けられているサッシ窓１７を屋外側から覆う。
【００３３】
図２に示すように、外枠２３の下端における外側板部５３の内側には、連結固定部材２７が固定される。連結固定部材２７は、ステンレス製やスチール製とすることができる。連結固定部材２７は、一対の平行側片部８５の下端が底片部８７で連結されたコ字形状に形成される。連結固定部材２７は、一方の平行側片部８５が複数のリベット８９により外枠２３の外側板部５３に固定される。リベット８９が複数とされることで、連結固定部材２７は外側板部５３に対して回転することがない。この連結固定部材２７の底片部８７には、固定ビス３１を挿通する固定ビス挿通孔９１が穿設されている。
【００３４】
この連結固定部材２７は、外枠２３に対する取り付け位置が、取付板部５５に対して反対側（図４の下側）となる外側板部５３の突出端側となっている。
【００３５】
キャップ２９は、前壁部９３と、側壁部９５とにより平面視でＬ字形状に一体成形される。キャップ２９は、前壁部９３と側壁部９５とに渡って平面視でＬ字形の底壁部９９を有する。また、前壁部９３及び側壁部９５は、それぞれが断面視でＬ字形状に形成される。前壁部９３は、下枠２５の前縁部９７を前側から覆う。側壁部９５は、外枠２３の下端及び下枠２５の端を外側から覆う。
【００３６】
キャップ２９は、前壁部９３の底壁部９９に１つ、側壁部９５の底壁部９９に２つの合計３つの固定ビス螺合部１０１が形成される。固定ビス螺合部１０１は、底壁部９９から垂下する筒形状で形成される。下枠２５には、これら固定ビス螺合部１０１に応じ３つの固定ビス貫通孔１０３が穿設される。キャップ２９は、下枠２５の上から３つのうち両側の２つの固定ビス貫通孔１０３に固定ビス３１が挿通され、この固定ビス３１が固定ビス螺合部１０１に螺合することにより、下枠２５の長手方向両側の下面に予め固定される。
【００３７】
キャップ２９が両側に固定された下枠２５は、外枠２３の下端に配置される。外枠２３に固定された上記の連結固定部材２７には、上方より固定ビス３１が挿通される。連結固定部材２７に挿通された固定ビス３１は、下枠２５の固定ビス貫通孔１０３を貫通した後、キャップ２９の固定ビス螺合部１０１に螺合される。これにより、固定ビス３１は、連結固定部材２７に上側から挿通され、下枠２５を貫通し、キャップ２９に螺合することで外枠２３の下端と下枠２５の端とを連結する。なお、固定手段である固定ビス３１は、リベットやピンなどとしてもよく、下枠２５を連結固定部材２７とキャップ２９とで挟み、固着状態で外枠２３と下枠２５とを連結固定させるものであればよい。
【００３８】
また、シャッター枠部の防火構造は、図示を省略するが、連結固定部材２７と下枠２５との間にスチール製の補強部材が設けられてもよい。この補強部材は、ガイドレール３９及び外枠２３の下端を塞ぎ、座板３５の延在方向の端が接する底板部を有する。底板部は、図４に示す外枠２３とガイドレール３９とで外形が包囲される平面視Ｌ字形状で形成される。補強部材は、底板部から外側板部５３と平行に折り曲げられて起立した側片部が、外側板部５３に連結固定される。補強部材は、底板部に起立させて形成した取付板部５５と平行な共締め片部が取付板部５５と共に外壁１５に共締めされてもよい。補強部材を備えるシャッター枠部の防火構造では、固定ビス３１が、底板部及び下枠２５を貫通してキャップ２９に螺合することとなる。
【００３９】
次に、上記した構成の作用を説明する。
本実施形態に係るシャッター枠部の防火構造では、下枠２５の長手方向両側の端の下面に、樹脂製のキャップ２９が固定される。それぞれがガイドレール３９を支持する一対の外枠２３における外側板部５３の内側には、連結固定部材２７が固定される。連結固定部材２７には、上側から固定ビス３１が挿通される。連結固定部材２７に挿通された固定ビス３１は、下枠２５を貫通し、下枠２５を挟んで連結固定部材２７と反対側に配置されるキャップ２９に螺合し固着する。つまり、下枠２５の端は、連結固定部材２７とキャップ２９とに挟まれて固定ビス３１により締結される。これにより、下枠２５の端は、外枠２３に確実に固定されて、通常使用時では容易にこじ開けできなくなっており、防犯性の低下を招くことはない。
【００４０】
シャッター枠部の防火構造は、外枠２３と下枠２５が接続されると、金属製部材の切断加工面である外枠２３の下端または下枠２５の端が出隅部で表出する。シャッター枠部４１は、この出隅部が樹脂製のキャップ２９により覆われる。その結果、腰高窓などでシャッター枠部４１が外壁１５から突出し、下側の出隅部に人が衝突した場合であっても怪我を負わせることがなく、安全性を高めることができる。
【００４１】
そして、シャッター枠部４１は、火災時に火炎にさらされると、下枠２５が膨張する。下枠２５は、スチール部材に比べ線膨張係数の大きいアルミ部材からなるため、長手方向両側の端が、延長線上で外側へ変位する。下枠２５の両側の端は、固定ビス３１により両側の外枠２３の下端と連結固定されている。従って、一対の外枠２３は、下枠２５が延びれば、下端同士が離間する方向に開こうとする。
【００４２】
図５は固定ビス３１に対して固定が解除されるキャップ２９の動作説明図である。
このとき、アルミ部材に比べ溶融温度が十分に低い樹脂製のキャップ２９は、固定ビス３１との螺合部分が軟化、溶融して、固定ビス３１との螺合が解除される。固定ビス３１による支持を失った下枠２５は、図５に示すように、自身の荷重により、キャップ２９とともに下降して固定ビス３１から離脱する。キャップ２９は、そのまま落下してもよい。固定ビス３１から離脱した下枠２５の端は、自由端となり、延長線上の外側への延び（変位）が可能となる。一対の外枠２３は、下枠２５の端との連結が解除されることで、下枠２５が膨張しても外側に開くことがなくなる。その結果、スラット３３の抜け出しが発生しなくなる。
【００４３】
また、シャッター枠部の防火構造では、下枠２５の長手方向両側の端を支持する連結固定部材２７が、外側板部５３の突出端側に設けられる。すなわち、下枠２５は、外壁側と反対側の他方の縁部である前縁部９７が連結固定部材２７により長手方向両側の２箇所で支持されている。下枠２５は、火炎によりキャップ２９が軟化、溶融して固定ビス３１との螺合が解除されると、前縁部９７が連結固定部材２７に支持されなくなる。このため、下枠２５は、後縁部４９のみが外壁１５に支持されたままとなる。下枠２５は、長手方向に直交する幅方向の後縁部４９のみが支持された状態となることで、後縁部４９を支点に前縁部９７が下がる。これにより、下枠２５は、固定ビス３１から固定ビス貫通孔１０３が抜脱されやすくなる。その結果、火炎によるキャップ２９の溶融時に、固定ビス３１からキャップ２９を容易に固定解除することができる。
【００４４】
火災発生時、アルミ部材同士のみの接続である外枠２３の下端と下枠２５の端との接続構造は、変形しやすくなった下枠２５により、耐荷重が低下する。この場合、下枠２５は、座板３５を含むシャッターカーテン２１の重量を支えきれなくなる虞が生じる。
【００４５】
また、シャッターカーテン２１の収納部１９には、シャッターカーテン２１を巻き取り方向に付勢するばねが設けられている。シャッターカーテン２１は、閉鎖状態で吊り持ち支持される重量の一部分が、このばねにより軽減されている。ところが、ばねは、火炎にさらされると、弾性復元力が低下する。このため、下枠２５には、通常時よりも大きな荷重が加わる。
【００４６】
上記の補強部材を備えたシャッター枠部の防火構造では、固定ビス３１が、補強部材の底板部と、下枠２５を貫通してキャップ２９に螺合する。下枠２５は、上記と同様に、火炎によりキャップ２９が変形、溶融したときは、自身の荷重により、キャップ２９と共に下降して固定ビス３１から離脱する。この際、下枠２５は、後縁部４９のみが外壁１５に支持され、前縁部９７の支持が消失する。つまり、下枠２５は、前方に下り傾斜した不完全な支持状態となる。一方、それぞれの外枠２３及びガイドレール３９の下端は、外枠２３に固定された補強部材の底板部により塞がれた状態となっている。この補強部材の底板部には、座板３５の延在方向の端が接する。従って、補強部材は、下枠２５が不完全な支持状態となった場合においても、座板３５の延在方向の両端を底板部に載置して、シャッターカーテン２１の荷重を支持することができる。その結果、火炎によるアルミ部材の軟化時に、ガイドレール３９からの座板３５の脱落を抑制することができる。
【００４７】
従って、本実施形態に係るシャッター枠部の防火構造によれば、通常使用時の防犯性能を確保しながら、シャッターの防火性能を向上させることができる。
【符号の説明】
【００４８】
１３…開口部
１５…外壁
２１…シャッターカーテン
２３…外枠
２５…下枠
２７…連結固定部材
２９…キャップ
３１…固定手段（固定ビス）
３５…座板
３７…側部
３９…ガイドレール
４１…シャッター枠部
４９…後縁部
５３…外側板部
５５…取付板部
【図１】
2020020202.tif 000003
【図２】
2020020202.tif 000004
【図３】
2020020202.tif 000005
【図４】
2020020202.tif 000006
【図５】
2020020202.tif 000007